(57)【要約】本発明は移動通信端末機を通じたモブログ基盤の地域コミュニティーサービスを通じてオフ会を提案する方法に関するものであって、場所領域を所定の地域単位で区分することで複数の主舞台を設定し、前記主舞台の中の一つに対して該位置での実際空間の公共場所が投影された仮想空間の場所をスポットとして一つ以上設定して保存する段階、前記移動通信端末機の位置情報から該主舞台に属する前記一つ以上のスポット情報の中で一つのスポットを選択することで該スポットに入場できるようにする段階、及び前記スポットでオフ会提案に関するポストを登録する段階を含むことを特徴とする。【選択図】図１
2008507750.tif 000002
【特許請求の範囲】
【請求項１】
移動通信端末機を通じたモブログ基盤の地域コミュニティーサービスを通じてオフ会を提案する方法において、場所領域を地域単位で区分することで複数の主舞台を設定して、前記主舞台の中の一つに対して該位置での実際空間の公共場所が投影された仮想空間の場所をスポットとして一つ以上設定して保存する段階と、前記移動通信端末機の位置情報から該主舞台に属する前記一つ以上のスポット情報の中で一つのスポットを選択することで該スポットに入場できるようにする段階と、前記スポットでのオフ会提案に関するポストを登録する段階とを含めて構成されることを特徴とする移動通信端末機を通じたモブログ基盤の地域コミュニティーシステムでオフ会提案方法。
【請求項２】
前記オフ会提案に関するポストを登録するユーザーが前記スポットに入場した他のユーザーの中で選択されたユーザーにオフ会提案メッセージを伝送できるようにする段階をさらに含めて構成されることを特徴とする請求項１記載の移動通信端末機を通じたモブログ基盤の地域コミュニティーシステムでのオフ会提案方法。
【請求項３】
前記オフ会提案メッセージの伝送手段は、メモ、短文メッセージ、マルチメディアメッセージ及びインスタントメッセージの中で選択されたある一つ以上であることを特徴とする請求項２記載の移動通信端末機を通じたモブログ基盤の地域コミュニティーシステムでのオフ会提案方法。
【請求項４】
前記選択されたユーザーは、他のユーザーからメッセージ受信を許容した者の中で選択された者であることを特徴とする請求項２記載の移動通信端末機を通じたモブログ基盤の地域コミュニティーシステムでのオフ会提案方法。
【請求項５】
前記登録されたポスト情報と前記ポストと関連されたスポットに対するリンク情報を保存する段階をさらに含めて構成されることを特徴とする請求項１記載の移動通信端末機を通じたモブログ基盤の地域コミュニティーシステムでのオフ会提案方法。
【請求項６】
前記ポスト情報は、テキスト、イメージ及びマルチメディアデータの中で選択されたある一つ以上で構成されることを特徴とする請求項１記載の移動通信端末機を通じたモブログ基盤の地域コミュニティーシステムでのオフ会提案方法。
【請求項７】
前記移動通信端末機の位置情報はＧＰＳシステムによる位置獲得方法、基地局Ｃｅｌｌ−ＩＤを通じた位置獲得方法、ＵＦＩＤを通じた位置獲得方法、及びＡＰ（Ａｃｃｅｓｓ  Ｐｏｉｎｔ）を通じた位置獲得方法の中で選択されたある一つを通じて獲得されることを特徴とする請求項１記載の移動通信端末機を通じたモブログ基盤の地域コミュニティーシステムでのオフ会提案方法。
【請求項８】
前記移動通信端末機を通じたサービス提供方法は、無線ＬＡＮ又はブルートゥース等の無線通信技術を活用したアドホック（Ａｄ−ｈｏｃ）ネットワーキング方式でユーザーを探し出し、相互意思疎通ができるようすることを特徴とする請求項１記載の移動通信端末機を通じたモブログ基盤の地域コミュニティーでのオフ会提案方法。
【請求項９】
前記移動通信端末機を通じたサービス提供方法は、前記移動通信端末機間の通信でピーティーティー（ＰＴＴ；  Ｐｕｓｈ  Ｔｏ  Ｔａｌｋ）方式で周辺地域のユーザー達にブロードキャスティングする方式で相互意思相通ができるようにすることを特徴とする請求項１記載の移動通信端末機を通じたモブログ基盤の地域コミュニティーでのオフ会提案方法  。
【請求項１０】
前記同一スポットで入場した一つ以上のユーザー達が前記オフ会提案に関するポストを確認し、該オフ会の出席可否を通知できるようにする段階をさらに含むことを特徴とする請求項１記載の移動通信端末機を通じたモブログ基盤の地域コミュニティーシステムでのオフ会提案方法。
【請求項１１】
前記該オフ会の出席可否通知は、前記オフ会提案に関するポストにコメントを登録することで通知することを特徴とする請求項１０記載の移動通信端末機を通じたモブログ基盤の地域コミュニティーシステムでのオフ会提案方法。
【請求項１２】
前記該オフ会の出席可否通知は、前記オフ会提案に関するユーザーにメッセージを伝送することで通知することを特徴とする請求項１０記載の移動通信端末機を通じたモブログ基盤の地域コミュニティーシステムでのオフ会提案方法。
【請求項１３】
前記出席可否通知メッセージの伝送手段は、メモ、短文メッセージ、マルチメディアメッセージ及びインスタントメッセージの中で選択されたある一つ以上であることを特徴とする請求項１２記載の移動通信端末機を通じたモブログ基盤の地域コミュニティーシステムでのオフ会提案方法。
【発明の詳細な説明】
【技術分野】
【０００１】
本発明は移動通信端末機を通じたモブログ基盤の地域コミュニティーシステムでのオフ会提案方法に関するものであって、特にユーザー位置情報に関連して掲示物を登録する移動通信端末機を通じたモブログ基盤の地域コミュニティーシステムでのオフ会提案方法に関する。
【背景技術】
【０００２】
初期の無線インターネットサービス、即ち移動通信端末機を用いたインターネットサービスは着信メロディダウンロード又はモバイルゲームなどの断片的サービスのみが提供された。しかし移動通信端末機網の開放等の外部環境の変化によってポータル事業者（Ｐｌａｔｆｏｒｍ）のユーザー（Ｕｓｅｒ）基盤サービスに基づいて有無線統合インターネットサービスの提供がより容易になった。なお  無線ネットワークと有線ネットワークが連動される関係型有無線サービスへの発展が加速化されている。例えば、移動通信端末機を用いてインスタントメッセンジャー（Ｉｎｓｔａｎｔ  Ｍｅｓｓｅｎｇｅｒ）サービスを提供したり、モバイル（Ｍｏｂｉｌｅ）ミニホムピィなどの提供又はモバイルブログ（Ｂｌｏｇ）サービス等が提供されている。
【０００３】
一方、最近登場した‘モブログ（Ｍｏｂｌｏｇ）’という用語は‘モバイル（Ｍｏｂｉｌｅ）’と‘ブログ（Ｂｌｏｇ）’の合成語として携帯電話を用いてウェブ上のブログに文、写真などのコンテンツをリアルタイムで書き込めるように提供するサービスをいう。
【０００４】
前記のようなモブログサービスはユーザーの写真と文をサーバーに伝送したり、単純に前記サーバーからの写真と文を照会する形で構成されている。前記モブログは特定場所での写真と文に対してリアルタイム的情報を伝送して保存する機能があるが、該場所に対する情報は入力されなかったり、ユーザーによる入力文で構成されるようになり、本人以外の人達には検索され難くてその価値性が落ちる問題点があった。
【０００５】
従って、前記モブログサービスの利用において、写真と文に対する情報のユーザー達の間の共有性を高めるための方法とリアルタイム的コミュニティー形成を通じた人的ネットワークの形成をサポートするサービス方法の出現が切実に要求されている実情である。
【０００６】
なお、オンラインでのミーティングをオフラインでの実際ミーティングに自然に誘導できる新しい法案が要求される。
【発明の開示】
【発明が解決しようとする課題】
【０００７】
従って、本発明が解決しようとする技術的課題は有無線を基盤としてユーザーが実際場所を基盤であう経験を保存及び共有したり、ユーザーの地域基盤で興味（特定主題又は場所）の同じユーザー達のオフ会をサポートできる移動通信端末機を通じたモブログ基盤の地域コミュニティーシステムでのオフ会提案方法を提供することにある。
【０００８】
なお、本発明が解決しようとする技術的課題はユーザーが自分がいる場所で経験したことを写真又は文の形で有無線装置を通じて事業者が提供するサーバーに保存したり、前記保存された情報を他人と共有できる移動通信端末機を通じたモブログ基盤の地域コミュニティーシステムでのオフ会提案方法を提供することにある。
【０００９】
なお、本発明が解決しようとする技術的課題はユーザーが位置した場所の近所にいる他のユーザー達に選択的にオフ会を要請する移動通信端末機を通じたモブログ基盤の地域コミュニティーシステムでのオフ会提案方法を提供することにある。
【課題を解決するための手段】
【００１０】
前記の目的を達成するための本発明の方法は移動通信端末機を通じたモブログ基盤の地域コミュニティーサービスを通じてオフ会を提案する方法において、場所領域を所定の地域単位で区分することで、複数の主舞台を設定し、前記主舞台の中の一つに対して該位置での実際空間の公共場所が投影された仮想空間の場所をスポットとして一つ以上設定して保存する段階と、前記移動通信端末機の位置情報から該主舞台に属する前記一つ以上のスポット情報の中で一つのスポットを選択することで該スポットに入場できるようにする段階と、前記スポットでオフ会提案に関するポストを登録する段階とを含むことを特徴とする。
【発明を実施するための最良の形態】
【００１１】
以下は本発明による好ましい実施例を添付した図面を参照して詳細に説明する。しかし、以下に説明される本発明の好ましい実施例は本発明の技術的範囲を限定することではなく、本発明の属した技術分野での通常の知識を有する者に本発明をより明確で容易に説明しようとするものである。図面上で同一の図面符号は同一要素を指称する。
【００１２】
本発明は携帯電話を用いてウェブ上のブログに文、写真などのコンテンツをリアルタイムで書き込めるように提供するモブログサービスに‘場所’の概念を導入して、前記場所を媒介とするユーザー間のコミュニティーを形成する方法を提案する。
【００１３】
一方、本発明の基本的概念は実際空間場所を仮想空間の場所と投影するにある。即ち、実際空間に対してマッピングされる仮想空間の場所を提供することで、仮想空間でのユーザー間の情報の共有を可能にして、情報を掲示したり、実際空間での思い出と写真を残せるようにさせる。なお、該場所に対する多様な情報と評価をポスティングできる自由掲示空間を提供するようになる。このような活動を通じて自然にユーザー達間に場所中心のコミュニティーを形成するようになり、実際オフラインでのミーティングを容易にできるようにする。
【００１４】
以下にまず本発明の具現のために導入されるいくつかの用語を定義する。
【００１５】
本発明で用いられる‘主舞台’という用語は事業者によって分離された実際空間での地域単位を意味し、前記主舞台の単位は行政区域上の市、郡、区、邑、面、洞などの多様な形で拡張され、区分される。例えば、江南駅、狎鴎亭、明洞、鍾路などの行政区域上の名称となる。前記主舞台はユーザーが現在位置した実際位置に基盤し、前記ユーザーが移動して特定主舞台の領域内に属される場合、前記ユーザーの位置を把握して自動に設定されるようになる。
【００１６】
‘スポット（ＳＰＯＴ）’という用語は実際空間の特定場所（又は公共場所）が投影された仮想空間の場所である。例えば、ロデオ通り、狎鴎亭洞現代百貨店、駅三洞ルネサンスホテルなどのような現実空間に対する同一名前の仮想空間でありながら、ミーティングの空間である。この時、前記スポットはユーザーが属される主舞台内に一つ以上存在するようになって、前記主舞台はユーザーの現在位置情報によって自動に設定されるが、前記スポットは前記主舞台内に属したスポットの中でユーザーが任意に選択されて参与できる。
【００１７】
‘アジト（ＡＺＩＴ）’とは実際空間の家庭が投影された仮想空間の場所である。即ち、個人別に自分だけの個人空間を所有できる空間であり、個人用ホームページの概念でありながら、人脈（友達とお隣）形成の空間になる。‘ポスト（ＰＯＳＴ）’は自分の興味事項、写真、文などを前記スポットやアジトに書き込む情報の単位である。このように、情報を前記スポットやアジトなどに書き込む作業を‘ポスティング（ｐｏｓｔｉｎｇ）’と称する。
【００１８】
なお、‘メモ（メッセージ）’は自分が直接作成したポスト又は他人が作成したポストを友達又はお隣達に知らせるためのお知らせ又は公知サービスである。前記のようなメモは短文メッセージサービス（Ｓｈｏｒｔ  Ｍｅｓｓａｇｅ  Ｓｅｒｖｉｃｅ；以下、‘ＳＭＳ’とする）又はマルチメディアメッセージサービス（Ｍｕｌｔｉｍｅｄｉａ  Ｍｅｓｓａｇｅ  Ｓｅｒｖｉｃｅ；以下、‘ＭＭＳ’とする）の形で拡張される。
【００１９】
一方、本発明で用いられる‘リンク（ｌｉｎｋ）’という用語はユーザーの人脈関係（例えば、アジトとアジト）とユーザーの興味（スポット）の連結（例えば、アジトで特定スポットへのお気に入り）を意味する。この時、ユーザーとの人脈関係は友達関係（相手が友達として承諾する場合）とお隣関係（相手のアジトに対して単純にお気に入り登録をした場合）と区分して管理するように具現できる。
【００２０】
以下、前記本発明によって正義された主舞台でのスポット、アジトなどによるリンク形成関係を図１及び図２を参照して説明する。
【００２１】
図１は本発明によるユーザーの活動基盤である人脈ネットワークを概念的に表現した主舞台の概念図である。
【００２２】
前記図１を参照すると、自分のアジト（即ち、私のアジト（Ｍｙアジト）（１００）を中心に一つ以上のスポット（１１０、１２０）及び友達（又はお隣）のアジト（１３０、１４０）がリンクされる。
【００２３】
即ち、前記図１では私のアジト（１００）に二つのスポット（１１０、１２０）がリンクされていることがわかる。前記スポット（１１０、１２０）のリンクは該スポットをお気に入りすることでリンクさせることができる。  一方、前記スポット又はアジトの中で太文字で表示されたスポット（１１０、１４２、１４４）又はアジト（１００、１１１）は該スポットとアジトに対するレベルを意味する。
【００２４】
なお、前記各スポットには他のアジトとリンク形成ができる。例えば、１１０番スポットは１１１番アジトともリンク形成ができるし、１２０番スポットは１２１番アジトともリンク形成できる。前記で太文字で表示されたリンクは該スポット又はアジトに対する興味の程度及び活動の程度を示すリンクの連結度（Ｓｔｒｅｎｇｔｈ）を意味する。
【００２５】
同時に、前記私のアジト（１００）には二つのアジト（１３０、１４０）がリンクされてあり、上述したように前記１３０番アジトは私のアジト（１００）が単純にお気に入りすることでリンクされるお隣アジトになり、前記１４０番アジトは私のアジト（１００）が友達要請をして承諾されることでリンク形成される友達アジトになる。
【００２６】
一方、前記１３０番アジトと連結された他のアジト（１３１）は一方的に前記私のアジト（１００）をリンクさせることもできる。勿論、前記他のアジト（１３１）も一つ以上のスポット（１３２）とアジト（１３３）をリンクさせることができる。
【００２７】
前記私のアジトが友達関係でリンク形成させた友達アジト（１４０）も同様に一つ以上のアジト（１４３）及びスポット（１４４）とリンクを形成することができるし、前記友達アジト（１４０）とリンク形成されたアジト（１４３）も一つ以上のスポット（１４２）及びアジトとリンクされた他のアジト（１４１）によってリンク形成されることができる。
【００２８】
図２は本発明によるユーザーのアジトを中心とする特定場所（Ｓｐｏｔ）、友達（バディー；  Ｂｕｄｄｙ）との関係性を示すリンク概念図である。
【００２９】
前記図２を参照すると、前記図１で上述したように私のアジト（１００）に所定のスポット（２００）又はバディーアジト（２２０）がリンクできるし、前記スポット（２００）及びバディーアジト（２２０）も一つ以上のスポット（２４０）及びアジト（２１０、２３０）とリンクされることができる。
【００３０】
この時、前記私のアジト（１００）でリンクしたスポットは該ユーザーが興味を有する地点に対するスポットであり、前記私のアジト（１００）がリンクした同一スポット（２００）とリンクを形成したアジト（２１０）は私と同一興味を有しているとみられる。従って、前記リンクされたスポット（２００）を通じて前記スポット（２００）にリンクを形成した多くのアジト（１００、２１０）が該スポット（２００）に文を登録したり、閲覧することで該スポット（２００）と連関された多くの興味を共有することができる。例えば、自分が主に活動する舞台が‘江南駅’であり、この中で‘シティー劇場’のスポットをリンクさせたと仮定すると、前記シティー劇場をスポットとしてリンクさせた多くのユーザー達が前記場所と関連された文（例えば、映画に関する情報又はイベントに関する情報）を登録又は閲覧することで、該場所（即ち、同一な対象としての場所）に対する興味を共有することができるようになる。
【００３１】
なお、前記私のアジト（１００）は上述したように友達と登録したアジト（即ち、バディーアジト）（２２０）を通じて人脈を形成できるようになる。即ち、前記バディーアジト（２２０）がリンク形成したスポット（２４０）を通じて友達の興味などを共有することができるようになって、前記バディーアジト（２２０）がリンク形成したアジト（２３０）を通じて友達の友達を知ることができるようになる。こうすることで、人間関係が自分の興味度によって仮想空間を通じて容易に拡張できる。
【００３２】
一方、前記図２で説明したリンクの種類はまとめると次の三つになる。
【００３３】
１）リンクの要請とリンク承諾を含めたアジトとアジト（Ａｚｉｔ  Ｔｏ  Ａｚｉｔ）間のリンク（人脈）
２）ユーザーの興味を指定するアジトとスポット（Ａｚｉｔ  Ｔｏ  Ｓｐｏｔ）間のリンク（ＵＲＬ（Ｕｎｉｆｏｒｍ  Ｒｅｓｏｕｒｃｅ  Ｌｏｃａｔｏｒ）お気に入り）
３）アジトとポスト（Ａｚｉｔ  Ｔｏ  Ｐｏｓｔ）間のリンク（ＵＲＩ（Ｕｎｉｆｏｒｍ  Ｒｅｓｏｕｒｃｅ  Ｉｄｅｎｔｉｆｉｅｒ）お気に入り）
【００３４】
なお、本発明は上述したようにリンク基盤の推薦を通じてユーザー間の人脈ネットワークを効果的に形成できるし、前記リンク基盤の推薦（アジト推薦及びスポット推薦）はまとめると次のような類型で区分できる。
【００３５】
１）共通興味ポスト（ＰＯＳＴ）を有する新しい友達（アジト）の推薦
２）共通の興味場所（ＳＰＯＴ）基盤の新しい友達（アジト）の推薦
３）友達（アジト）とまた人脈関係である友達（アジト）（即ち、友達の友達）の推薦
４）友達（アジト）の興味場所（スポット）推薦
５）友達（アジト）の興味ポスト推薦
【００３６】
以上で本発明で用いられる用語と人脈形成及び興味分野に対するリンク概念を説明した。以下、図３及び図４を参照して、前記本発明を具現するためのシステムを説明する。
【００３７】
図３は本発明による移動通信端末機を通じたモブログ基盤の地域コミュニティーサービスシステムを示した図面である。
【００３８】
前記図３を参照すると、前記モブログ基盤の地域コミュニティーサービスシステムは移動通信端末機（３００）、無線網終端装置（３１０）、無線ネットワーク（３２０）、インターネットネットワーク（３３０）、有線端末機（３４０）、位置基盤コミュニティーサーバー（３５０）及び外部連動システム（３６０）などで構成される。
【００３９】
前記移動通信端末機（３００）を通じて本発明によるモブログ基盤の地域コミュニティーサービスを提供されるようになり、前記移動通信端末機（３００）の位置情報を通じて前記移動通信端末機（３００）を所有ししたユーザーの位置（即ち、主舞台）を把握するようになる。前記無線網終端装置（３１０）は基地局及び基地局制御機などを含む概念であり、前記移動通信端末機（３００）から無線環境を通じて受信された信号を処理して有／無線ネットワークに伝送する。一方、前記無線ネットワーク（３２０）は各移動通信端末機（３００）から受信されたパケット又はサーキット信号を処理して該端末機に伝送し、インターネットネットワーク（３３０）（即ち、有線ネットワーク）と位置基盤コミュニティーサーバー（３５０）などと連動されるように具現される。
【００４０】
即ち、前記無線ネットワーク（３２０）は所定のゲートウェイ（ｇａｔｅｗａｙ）などを通じて前記インターネットネットワーク（３３０）と通信して、前記インターネットネットワーク（３３０）を通じて所定の有線端末機（３４０）などと連結される。この時、前記無線ネットワーク（３２０）はネットワークの種類（例えば、非同期式網、同期式網又は２Ｇ、３Ｇ及び４Ｇ網）に関係なく本発明の適用が可能であることは自明である。
【００４１】
一方、前記位置基盤コミュニティーサーバー（３５０）は本発明によって上述した各種アジト、スポット、バディーの情報と前記各々のリンク情報及びポスト情報を含めて制御する機能を遂行する。前記位置基盤コミュニティーサーバー（３５０）は無線ネットワーク（３２０）を通じて移動通信端末機（３００）と連結されて、インターネットネットワーク（３３０）を通じて有線端末機（３４０）などと連結される。この時、前記位置基盤コミュニティーサーバー（３５０）を通じた本発明のサービスを提供するにおいて、前記無線ネットワーク（３２０）の構成を変化させなくても本発明の具現ができるように前記無線ネットワーク（３２０）と前記位置基盤コミュニティーサーバー（３５０）は知能網（Ｉｎｔｅｌｌｉｇｅｎｔ  Ｎｅｔｗｏｒｋ）で構成される。
【００４２】
なお、前記位置基盤コミュニティーサーバー（３５０）は各種外部連動システム（３６０）と連動されることで、より効果的サービス提供ができるようになる。例えば、短文メッセージシステム、インスタントメッセンジャーシステム、Ｅメールシステムとの連動を通じて該サービスを一緒にユーザーに連係して提供することができる。  特に、本発明によって前記位置基盤コミュニティーサーバー（３５０）がユーザー達に位置に基盤したサービスを提供できるように、所定の位置基盤システムとも連動されて運営されるのが好ましい。
【００４３】
以下、本発明の実施例によって提供されるべき位置基盤コミュニティーサーバー（３５０）と外部連動システム（３６０）を図４を参照して、より詳しく説明する。
【００４４】
図４は本発明の実施例による位置基盤コミュニティーサーバー及び外部連動システムの細部構成を示した図面である。
【００４５】
前記図４を参照すると、前記図３で上述したように位置基盤コミュニティーサーバー（３５０）及び一つ以上の外部連動システム（３６０）間の連動を通じて本発明の実施例によるサービスを提供する。
【００４６】
前記位置基盤コミュニティーサーバー（３５０）はユーザー認証部（Ａｕｔｈｅｎｔｉｃａｔｉｏｎ  ＆  ａｕｔｈｏｒｉｚａｔｉｏｎ；  ４００）、ポスト管理部（Ｐｏｓｔ  Ｍａｎａｇｅｒ；  ４１０）、外部インタフェース部（Ｉｎｔｅｒｆａｃｅ；  ４２０）、サービス管理モジュール（４３０）、推薦アルゴリズムモジュール（４４０）及びデータベース部（４５０）で構成される。
【００４７】
前記ユーザー認証部（４００）はユーザーに対する認証及び認可（Ａｕｔｈｅｎｔｉｃａｔｉｏｎ  ＆  Ａｕｔｈｏｒｉｚａｔｉｏｎ）の機能を遂行する。前記ポスト管理部（４１０）は情報登録単位であるポストの入力、修正、削除、照会及び写真登録などを管理する機能を遂行する。前記外部インタフェース部（４２０）は前記外部連動システム（３６０）と連係するために前記位置基盤コミュニティーサーバー（３５０）と外部とのデータ送受信に対するインタフェースを担当する。
【００４８】
前記サービス管理モジュール（４３０）は本発明の実施例を遂行するために必要な各種多様な機能を含む。例えば、前記サービス管理モジュール（４３０）は検索エンジン部（Ｓｅａｒｃｈ  Ｅｎｇｉｎｅ；４３１）、カテゴリ管理部（Ｃａｔｅｇｏｒｙ  Ｍａｎａｇｅｒ；４３２）、ポスト評価管理部（Ｐｏｓｔ  Ｅｖａｌｕａｔｏｒ；４３３）、連結管理部（Ｌｉｎｋｅｒ；４３４）、ポイント管理部（Ｐｏｉｎｔ  Ｃｏｍｐｅｎｓａｔｉｎｇ  Ｍａｎａｇｅｒ；４３５）、マルチメディア管理部（Ｍｕｌｔｉｍｅｄｉａ  Ｈａｎｄｌｅｒ；４３６）及び情報構成部（Ｃｏｎｔｅｎｔ  Ｆｏｒｍａｔｔｅｒ；４３７）などで構成される。
【００４９】
前記検索エンジン部（４３１）はユーザーがキーワードを通じてポスト又はアジトを検索する時前記入力されたキーワードによって検索を遂行して検索結果を出力させる機能を遂行する。前記カテゴリ管理部（４３２）は本発明によって提供される各カテゴリを管理する機能を遂行する。前記ポスト評価管理部（４３３）は他人によって評価されたポストの評価情報を管理する機能を遂行する。前記連結管理部（４３４）はアジトとポスト、アジトとアジト、アジトとスポットなどの連結関係を管理する機能を遂行する。前記ポイント管理部（４３５）は各ユーザー達の使用実績などによって提供されるポイント及び前記ポイントによる補償等を管理する機能を遂行する。前記マルチメディア管理部（４３６）は本発明によって提供されたり、ユーザー達が登録した多様なマルチメディア情報等を管理する機能を遂行する。前記情報構成部（４３７）は本発明の遂行によって生成されて提供される各種情報を有無線環境に適合に画面を構成できるように既設定された所定のフォーマット（ｆｏｒｍａｔ）によって前記情報を形成する機能を遂行する。
【００５０】
一方、前記推薦アルゴリズムモジュール（４４０）は所定の推薦アルゴリズムを遂行して各ユーザーにアジト、スポット、ポスト等を推薦する機能を遂行する。例えば、前記推薦アルゴリズムモジュール（４４０）は推薦エンジン部（Ｒｅｃｏｍｍｅｎｄａｔｉｏｎ  Ｓｙｓｔｅｍ；４４１）、レベル管理部（Ｌｅｖｅｌ（Ｒａｎｋ）  Ｓｙｓｔｅｍ；４４２）及び評価管理部（Ｌｉｎｋ  Ｅｖａｌｕａｔｏｒ；４４３）などに構成される。
【００５１】
前記推薦エンジン部（４４１）は各ユーザー別にアジト、スポット、友達又はお隣などの推薦のために所定の推薦アルゴリズムを遂行する。前記レベル管理部（４４２）は各アジトとスポットに対するレベルを所定の既設定された規則によって設定して管理する機能を遂行する。前記評価管理部（４４３）は各リンクに対する評価を遂行し、結果を管理する機能を遂行する。
【００５２】
なお、前記位置基盤コミュニティーサーバー（３５０）は各種データベースで構成されたデータベース部（４５０）を含むことができる。例えば、前記データベースとしてはポスト情報データベース（４５１）、コンテンツ情報データベース（４５２）、ユーザー情報データベース（４５３）、推薦及び評価情報データベース（４５４）などになる。
【００５３】
前記ポスト情報データベース（４５１）はポストに対する情報等をふくめ、前記コンテンツ情報データベース（４５２）は本発明によって提供される各種コンテンツ情報等を含め、前記ユーザー情報データベース（４５３）はユーザーに対する個人身上情報及びユーザーログイン情報等を含め、前記推薦及び評価情報データベース（４５４）は各アジト、スポット、ポスト等に対する推薦及びレベル評価情報を含む。
【００５４】
一方、上述したように前記位置基盤コミュニティーサーバー（３５０）は前記外部連動システム（３６０）と連動して本発明による各種サービスを提供する。
【００５５】
前記外部連動システム（３６０）の種類としてはＳＭＳシステム（４６１）、ＭＭＳシステム（４６２）、インスタントメッセージシステム（４６３）、Ｅメールシステム（４６４）、課金システム（４６５）及び位置基盤システム（４６６）などになれる。
【００５６】
前記ＳＭＳシステム（４６１）は前記本発明を遂行する過程で短文メッセージ伝送機能が提供できるように短文メッセージ伝送機能を遂行する。前記ＭＭＳシステム（４６２）は本発明を遂行する過程でマルチメディアメッセージ伝送機能が提供できるようにマルチメディアメッセージ伝送機能を遂行する。なお、前記インスタントメッセンジャーシステム（４６３）はユーザー達の間に有無線端末機を通じてインスタントメッセンジャー機能を利用できるようにインスタントメッセージの処理を担当する。前記Ｅメールシステム（４６４）は本発明を遂行するにおいて用いられるＥメール伝送メニューに対する機能を提供する。前記課金システム（４６５）は前記本発明によるサービスを利用するにおいて払われるサービス費用を使用量によって又は定額制によって各ユーザーに課金する機能を遂行する。
【００５７】
前記位置基盤システム（４６６）は本発明を遂行するにおいて各ユーザーに対する位置情報を提供する機能を遂行する。即ち、各ユーザー達の移動通信端末機（３００）の位置情報を把握して本発明によって前記ユーザー達に主舞台情報等を提供する。一方、前記位置基盤システム（４６６）で遂行する移動通信端末機（３００）に対する位置情報を探す方法は多様に具現できる。例えば、衛星位置確認システム（Ｇｌｏｂａｌ  Ｐｏｓｉｔｉｏｎｉｎｇ  Ｓｙｓｔｅｍ；ＧＰＳ）を利用したり、各移動通信端末機と通信する基地局のＩＤを利用するＣｅｌｌ−ＩＤ  検索方式を利用することもできる。  他の方法としては建物単位の位置情報まで把握できる電子識別子（Ｕｎｉｑｕｅ  Ｆｅａｔｕｒｅ  ＩＤｅｎｔｉｆｉｅｒ；  ＵＦＩＤ）技術を活用して具現することもできる。
【００５８】
以上で本発明によるシステム構成を説明して、以下本発明によって遂行されるサービス手順を説明する。まず、図５及び図６を参照して本発明によって提供されるサービスを説明する。
【００５９】
図５は本発明の実施例によって可能になるサービスの例等を示した図面である。
【００６０】
前記図５を参照すると、本発明の実施例によって移動通信端末機を通じて所定のサービスメニューが提供される。まず、本発明の実施例によって場所基盤の経験を保存及び共有することで近所にいる興味の同じユーザーとのオフ会を誘導することができる。
【００６１】
即ち、前記図５の一番目に図示されたメニューのようにサービスユーザーは自分のいる位置で経験したことを写真、動映像又は文を通じて保存したり、他人と共有することができる。この時、前記写真又は動映像の登録のためには移動通信端末機にカメラ機能が具備されているのが好ましい。従って、現在位置で撮影した写真と一緒に関連文を作成して登録することで近所にいる興味の同じユーザー達と経験を共有することができる。
【００６２】
なお、前記図５の二番目に図示されたメニューのように同一位置にいる他のユーザー達が前記のような方法によって登録した経験を共有することができる。即ち、自分のいるスポットでポストを登録した他のユーザー達が書き込んだ該スポットと関連された写真又は文などを通じて同じ場所であった経験などを共有することができる。
【００６３】
同時に、前記図５の三番目に図示されたメニューでのように自分が書き込んだ情報を保存及び管理することができ、地域別場所及び他の人達のアジトを連動して照会することができる。
【００６４】
なお、本発明によるサービスは前記図５の四番目に図示されたメニューでのように位置基盤サービスを通じて自分がバディー友達と登録したユーザー達に対する情報を検索することができる。即ち、ユーザーの友達の中で近所にいる友達の状態及び活動を知ることができ、前記友達とのリアルタイムコミュニケーションもできる。
【００６５】
一方、前記本発明による位置基盤のモブログサービスは前記図３で上述したように有線ネットワークと連動できる。従って、インターネットと連結された自分のコンピュータ端末機を通じて上述した本発明による位置基盤コミュニティーサーバー（３５０）に接続して自分のバディーやポスティングを管理したり、アジト飾りをすることができる。
【００６６】
図６は本発明の実施例によってサービスできるサービスの流れを概念的に示した図面である。
【００６７】
前記図６を参照すると、本発明の実施例によってユーザーが実空間で写真又は文を書き込んだり、オフ会を要請すると、同一空間上の他ユーザー達と有線ユーザー達が写真と文を見てコメントを書くことができ、オフ会出席可否を伝達して実空間で会えるサービスを提供することができる。
【００６８】
前記本発明を実際空間でのポスティングの観点で見てみると、ユーザーがまず実際空間、自分の位置で写真及び文を登録する。この時、前記写真及び文を書き込んだユーザーの近所にいるユーザー達が前記ポスティングされた写真及び文を確認してコメントを作成することができる。そうすると、前記写真及び文をポスティングしたユーザーは他ユーザー達が書き込んだコメント又は照会数などを通じて他ユーザー達の反応を確認することができる。
【００６９】
なお、前記本発明をオフ会誘導の観点で見てみると、前記のようなポスティング活動などを通じて同一興味のユーザー達にオフ会を提案するようになる。この時、前記ユーザーの近所にいるユーザー達は前記オフ会提案事実を確認して、出席可否を伝送するようになる。前記出席可否を確認して、前記手順によって出席を通報したユーザー達とのオフラインオフ会が成立される。
【００７０】
一方、前記本発明を関係形成の観点で見てみると、前記のようにポスティング書き込み／確認、オフ会提案及びオフ会活動を通じてユーザー達の間の相互反応（ｉｎｔｅｒａｃｔｉｏｎ）を通じた関係が自然に形成される。
【００７１】
以上で本発明によって提供されるサービスを説明した。以下、図７を参照して本発明の実施例による具体的なサービス提供手順を説明する。
【００７２】
図７は本発明の実施例による移動通信端末機を通じたモブログ基盤の地域コミュニティーサービス提供手順を示した流れ図である。
【００７３】
前記図７を参照すると、まず、ユーザーは自分の移動通信端末機を通じてモブログ基盤の地域コミュニティーサービスを事項してユーザーログイン（７０１段階）を遂行する。この時、位置基盤システムによって現在ユーザーの位置情報に該当する主舞台が表示（７０２段階）される。即ち、前記ユーザーが主舞台に入場されるようになる。前記主舞台は上述したように行政区域上の市、郡、区、邑、面、洞などの多様な形で表示される。例えば、江南駅、狎鴎亭、明洞、鍾路などの行政区域上の名称となる。前記主舞台はユーザーが現在位置した実際位置に基盤し、前記ユーザーが移動して特定主舞台の領域内に属される場合前記ユーザーの位置を把握して自動に設定されるようになる。
【００７４】
前記ユーザーがログインして主舞台に入場すると、上述した位置基盤コミュニティーサーバー（３５０）では該主舞台に属したスポットを検索して前記ユーザーの移動通信端末機でディスプレー（７０３段階）させる。
【００７５】
前記ユーザーは本発明の実施例によってスポット、アジト及びバディーメニューの中で選択（７０４段階）してサービスを提供されることができる。
【００７６】
まず、ユーザーがスポットメニューで前記主舞台に該当されるスポットの中で一つを選択（７０５段階）すると、該スポットに登録されたポスト目録がディスプレー（７０６段階）される。前記ディスプレーされたポスト目録の中で選択することで該目録に対する文又は写真を閲覧することができるようになる。
【００７７】
なお、前記スポットメニューでは提供される付加選択メニューによって多様な作業を実行（７０７段階）することができる。例えば、新しいポストを登録したり、登録されたポストにコメント（ｒｅｐｌｙ）を登録する作業を遂行することができる。なお、ポストを検索したり、登録されたポストに対する評価を遂行することができる。同時に、閲覧した所定のポストで該ポスト登録者のアジトに移動することができる。これによって、前記ポストを登録した該ユーザーが登録した他の文を閲覧することができる。なお、興味あるポスト又はアジトに対してはお気に入りと登録することができる。付加的な機能で自分のメッセージ函を確認することもできる。
【００７８】
ユーザーが個人アジトメニューを選択（７０８段階）すると、自分が既保存した個人紹介及び自分が登録したポストのみを集めてディスプレー（７０９段階）することができる。即ち、商店街ユーザーが特定スポットを通じてポストを登録した場合、前記多様なスポットに登録されたポストは前記個人アジトメニューで一括的に確認することができる。
【００７９】
なお、前記個人アジト選択メニューでは提供される付加選択メニューによって多様な作業を実行（７１０段階）することができる。例えば、ユーザーが登録したポストを確認したり、自分がスクラップ（ｓｃｒａｐ）又プッシュ（ｐｕｓｈ）したポストを確認することができる。なお、ランクによる公開可否を設定することで、自分の個人身上情報又は自分が登録した文又は写真が好きなユーザーのみに閲覧されるように具現することができる。同時に、自分が登録したポストに対するコメント、メモ又は評価等を確認したり、ユーザーのレベル及び性向を表示又は確認することができる。
【００８０】
一方、ユーザーがユーザーのバディーメニューを選択（７１１段階）すると、前記ユーザーとリンクされたバディー達の目録がディスプレーされて、前記バディー達の中で一人を選択すると、該バディーが登録したポスト目録がディスプレー（７１２段階）される。
【００８１】
なお、前記バディー選択メニューでは提供される付加選択メニューによって多様な作業を実行（７１２段階）することができる。例えば、該バディーのアジトに移動したり、前記バディーのログイン情報を通じた現在位置を把握することができる。なお、各バディー間に親密度を付与し、前記親密度による整列ができる。そして前記各バディー達が登録したポストにコメント、メモ又は評価を登録することができる。同時に、自分の位置した地域基盤のバディー友達を検索することもできる。
【００８２】
以下に上述した本発明の実施例によって提供されるスポット、アジト、バディーメニューを通じたサービス方法を図８乃至図１０を参照して説明する。
【００８３】
図８及び図９は本発明の実施例による移動通信端末機のスポット（Ｓｐｏｔ）メニューを通じたサービス方法を示した図面である。
【００８４】
前記図８を参照すると、スポットメニューを活性化して好きな場所（スポット）で自分と他人の文を共有したり、興味の同じ人達のオフ会形成などを通じて相互間の関係を拡張及び深化させる空間が提供されることができる。
【００８５】
前記スポットは上述したように実際場所に存在する拠点（例えば、ロデオ通り）を意味し、ユーザー達が一緒に作って行く共同のテーマ空間である。従って、前記スポットは公共場所としてテーマ単位の掲示板を形成できるようにさせる。
【００８６】
前記スポットメニューでは主舞台、即ち、現在位置が‘狎鴎亭’と表示される。前記現在位置は位置基盤システム（Ｌｏｃａｔｉｏｎ  Ｂａｓｅｄ  Ｓｙｓｔｅｍ；ＬＢＳ）によって前記ユーザーが有している移動通信端末機の位置を把握することで提供される。即ち、前記主舞台は位置基盤システムによる主要都心と副都心を意味する。共用掲示板は該スポットでイベント及びお知らせ事項が見えるところである。
【００８７】
一方、上述したようにユーザーが主舞台に入場すると、前記主舞台に含まれたスポットの目録が所定の順序（例えば、人気順位）によってディスプレーされる。ここで、前記目録の中の特定スポットをハイライト表示することで私のスポットにリンクがされていることを表示することができる。同時に、前記メニュー下端部にはメッセージ函機能を追加して自分宛てのメモを閲覧したり、友達が書き込んだポスト及びミーティングに対する公知を確認する。
【００８８】
前記スポットの目録の中で一つのスポット（例えば、ロデオ通り）を選択すると、図９のように該スポットに登録されたポストの目録がディスプレーされる。
【００８９】
前記図９を参照すると、該スポット、即ち、ロデオ通りに登録されポストの目録がディスプレーされる。前記目録は該スポットでユーザー達が掲示した掲示物であって、身辺雑記、思い出残し、地域と商店で主催するイベント及びミーティングの公知まで多様な主題で掲示することができる。
【００９０】
前記ポストの目録で一つのポストを選択した後、該ポストに対する閲覧及び評価を遂行したり、レプライを登録することができる。こうすることによって、該ポスト登録者との情報交流を遂行し、ポストを通じた作成者のアジトに誘引することもできる。
【００９１】
一方、前記ポストの目録特定ポストをハイライト表示することで自分のバディーが登録したポストであることを表示することができる。
【００９２】
図１０及び図１１は本発明の実施例による移動通信端末機のアジト（Ａｚｉｔ）メニューを通じたサービス方法を示した図面である。
【００９３】
前記図１０を参照すると、個人アジトメニューを通じて他人との関係を結ぶための個人の全ての情報を保存し、レベル及び性向を表示することができる。こうすることで、個人の情報（Ｉｄｅｎｔｉｔｙ）を表出し、バディーを形成していない人との連動を提供してスポットでの積極的なポスティング活動などを誘導することができる。
【００９４】
前記ユーザー空間、即ち、アジトは主舞台で居住する自分の空間であり、自分を中心に地域基盤の友達と会える場所であり、自分を表現し、飾ることができる自分だけの空間である。
【００９５】
前記アジトメニューでは自分が登録したポストの目録がディスプレーされて、自分のスクラップ又はプッシュしたポストがディスプレーされる。なお、関係ランクによって公開可否が異なることができるように該ポストに対する公開程度を設定することができる。
【００９６】
一方、前記ディスプレーされるポストの目録の中で一つのポストを選択すると、該ポストに対する内容が図１１のように表示される。
【００９７】
前記図１１を参照すると、ポストの内容として自分を広報する文及び写真で構成される。即ち、前記自分のアジトに継続に登録される個別ポストによって自分の性向が表現され、個人の興味方向が表出される。一方、前記図８で上述したスポットに登録されたポストは上述したように前記アジトのメニューにも同時に登録される。
【００９８】
前記ポストの下端部には他ユーザー達が該ポストを閲覧して登録したコメント又は評価がディスプレー  される。即ち、該アジトのポストを閲覧した他のユーザー達は各ポストにコメント、メモ又は評価などを遂行することができる。なお、即席グルーピングとミーティングを誘導することができるようになる。同時に、該アジト内のポストを通じた情報及び興味とミーティングを共有することで、他のユーザー達との相互交流と表現の場になることができる。
【００９９】
一方、前記アジトに登録されたポストを分析してユーザーのレベル及び性向を表示することができる。即ち、ユーザーの経験値、関係指数及び評価項目などをシステムで分析して指数化することでユーザーのレベル及び性向を分析することができる。
【０１００】
図１２及び図１３は本発明の実施例による移動通信端末機のバディー（Ｂｕｄｄｙ）メニューを通じたサービス方法を示した図面である。
【０１０１】
前記図１２を参照すると、バディーメニューを通じて自分と連関されたバディーを保存及び管理し、現在自分がいる場所でのバディー（人脈）達の活動状況（例えば、プレゼンス情報、バディーが書き込んだ個別ポスト、バディーのアジト等）を認知して相互関係を深化発展させる。
【０１０２】
前記バディーメニューは友達との共有空間であって、人脈関係による知人達のポスト空間である。従って、バディーの新しいポストがリストされて見せて、該アジトに直接移動できるリンクが提供される。なお、リアルタイム的なアラーム（Ａｌａｒｍ）を通じた即時性を提供する。
【０１０３】
一方、前記バディーメニューで提供されるポスト目録は前記ユーザーのバディー達が登録したポストであり、前記ポストを通じて前記ポストを登録した該バディーの現在活動と現況を知ることができる。  なお、前記バディー間の親密度によって前記ポストが整列される。
【０１０４】
この時、前記ポスト目録の中で一つのポストを選択すると、図１３のように該ポストの内容がテキスト又はイメージの形で提供される。
【０１０５】
前記図１３を参照すると、ポストの内容がディスプレーされ、前記ポストの内容によって該バディーに対して広報する文及び写真で構成される。即ち、前記バディーが登録した個別ポストによって自分の性向が表現されて、個人の興味方向が表出される。
【０１０６】
前記ポストの下端部には他ユーザー達が該ポストを閲覧して登録したコメント又は評価がディスプレーされる。即ち、該バディーのポストを閲覧した他のユーザー達は各ポストにコメント、メモ又は評価等を遂行することができる。なお、即席グルーピングとミーティングを誘導することができるようになる。同時に、該バディー内のポストを通じた情報及び興味とミーティングを共有することで、他のユーザー達との相互交流と表現の場になる。
【０１０７】
図１４は本発明の実施例によるスポット、アジト及びバディーメニューを通じたサービス連係  手順を示した図面である。
【０１０８】
前記図１４を参照すると、前記図８乃至図１０で上述したようにスポットで基本的ブロギング（Ｂｌｏｇｇｉｎｇ）をするようになって、これを通じて自分の空間であるアジトが満たされて（Ｉｄｅｎｔｉｔｙ）、前記アジトを媒介としてバディーが作られる（Ｒｅｌａｔｉｏｎｓｈｉｐ）構造を形成するようになる。これによって、前記スポット、アジト及びバディーサービスモジュールが個別的サービスではなく、お互い有機的に連関されてサービスの全体通信の流れを形成するようになる。
【０１０９】
例えば、ユーザーＡは狎鴎亭に位置し、前記狎鴎亭を主舞台とするスポットの中で［ロデオ通り］スポットに入場する。前記スポット選択によって該スポットに登録されたポスト目録がディスプレーされる。  一番目のスポットのメニューでユーザーは前記ポスト目録の中で一つのポストを選択する。例えば、５番のユーザーＢが登録した‘［身辺雑記］  美顔？’を選択する。前記選択によって二番目のスポットのメニューで該ポストの内容がディスプレーされる。即ち、ユーザーＢが該スポットで登録したポストを閲覧するようになり、前記ユーザーＢがどのような人であるか気になるようになる。これによって前記ポスト内容で該ポストを登録したユーザーＢの‘［アジトを見る］’を選択すると、三番目のアジトメニューが提供される。
【０１１０】
前記三番目のアジトメニューでは前記選択したユーザーＢのアジトがディスプレーされる。即ち、前記メニューでユーザーＡはユーザーＢが［ロデオ通り］スポットで登録したポストを通じて前記ユーザーＢのアジトを訪問するようになり、前記ユーザーＢの狎鴎亭で登録したポストを閲覧することで前記ユーザーＢを知って行く。これによって、前記ユーザーＡは前記ユーザーＢにバディーを要請する。
【０１１１】
前記ユーザーＡがユーザーＢにバディー申請をして前記ユーザーＢが承諾をすることで、前記ユーザーＡ及びユーザーＢは新しい関係、即ち、バディー関係が形成される。従って、狎鴎亭でバディーが書き込んだ新しい文等を閲覧することができて、前記バディーの変動事項をリアルタイムで確認することができる。
【０１１２】
図１５は本発明の実施例によって移動通信端末機を通じて提供されるメニューを通じた全体的サービスの流れを示した図面である。
【０１１３】
前記図１５を参照すると、ユーザーがログイン（１２０１段階）し、友達ポストのお知らせ（１２０２段階）メッセージが示されると、該バディーリストに移動してポストを照会（１２３２段階）する。なお、メモのお知らせ（１２０３段階）メッセージが示されるとメモを閲覧（１２０４段階）し、公知事項（１２０５段階）メッセージが示されると公知事項を見るようになる（１２０６段階）。もし、シャウティングメッセージ（１２０７段階）が示されるとミーティングを知らせるポストを照会（１２０８段階）して出席可否を決定（１２０９段階）する。
【０１１４】
一方、ユーザーのメニュー選択（１２１０段階）によってスポットメニューに入場（１２１１段階）すると、スポットリストがディスプレー（１２１２段階）されて、特定スポットを選択すると該スポットのポスト目録がディスプレー（１２１３段階）される。前記ポスト目録で特定ポストを選択すると該ポストがディスプレー（１２１４段階）されて、前記該ポストでコメント作成（１２１５段階）、評価（１２１６段階）、掲示者の情報を見る（１２１７段階）、リレー及びプッシュ（１２１８段階）、メモを送る（１２１９段階）等の機能を遂行することができる。
【０１１５】
ここで、前記掲示者情報を見る（１２１７段階）が選択されると、該掲示者のアジトを訪問（１２２５段階）されるようになり、前記該掲示者のアジトに入場（１２３６段階）してポストを確認（１２３７段階）してコメントを登録（１２３８段階）することができる。
【０１１６】
その反面、ユーザーのメニュー選択（１２１０段階）によってアジトメニューに入場（１２２６段階）すると、自分のアジトに登録されたポスト目録がディスプレー（１２２９段階）されて、特定ポストを選択して閲覧し（１２３０段階）、掲載されたコメントを確認（１２３１段階）するようになる。一方、前記アジトで他の主舞台に移動（１２２７段階）したり、お気に入りメニューを通じて他のアジト又はスポットに移動（１２２８段階）することができる。
【０１１７】
ユーザーのメニュー選択（１２１０段階）によってバディーメニューに入場すると、自分のバディーリストが提供（１２３４段階）されて、各バディー達の状態情報がディスプレー（１２３３段階）される。前記バディーメニューでユーザーは各バディー達が登録したポストを照会（１２３２段階）したり、該バディーのアジトに移動（１２３５段階）することができるようになる。
【０１１８】
前記バディーのアジトに移動（１２３５段階）を選択すると、該バディーのアジトに入場（１２３６段階）し、前記バディーが登録したポストを確認（１２３７段階）してコメントを登録（１２３８段階）することができる。なお、前記バディーのアジトで他の主舞台に移動（１２３９段階）したり、お気に入りメニューを通じて他のアジト又はスポットに移動（１２４０段階）することができる。
【０１１９】
一方、本発明は上述したモブログ基盤の地域コミュニティーサービスを用いてオフ会を提案することでオンラインでのミーティングをオフラインでの実際ミーティングとして自然に誘導できる方法を提案する。
【０１２０】
図１６は本発明の実施例によるモブログ基盤の地域コミュニティーサービスの中でオフ会提案状況を示した図面である。
【０１２１】
前記図１６を参照すると、本発明によるモブログ基盤の地域コミュニティーサービスを用いて知らない人達がオフ会を自然に誘導することができるようになる。
【０１２２】
例えば、自分の友達が自分のアジトに登録されたポストを確認し、該ポストに添付された写真を通じて知らない友達に対する情報を問い合わせすることができる。この時、前記自分の友達も同一スポットに存在する場合、同一地域の同一関心事を共有しているので容易にオフ会出席を誘導することができるようになる。
【０１２３】
なお、地域基盤によって上述したようにバディーメニューで自分のバディー達の現在状態を知ることができるので、自分のバディー達の中で同一スポットに位置した友達を早い時間内の容易にオフ会に参与させることができるようになる。
【０１２４】
図１７は本発明の実施例によるモブログ基盤の地域コミュニティーサービスの中で移動通信端末機のスポットメニューでの実行過程を示した図面である。
【０１２５】
前記図１７を参照すると、上述したようにユーザーが狎鴎亭に位置する時、該主舞台に対するスポットが人気順位によってディスプレーされる。前記スポット目録の中でロデオ通りスポットに入場すると、前記ロデオ通りに対して登録されたポスト目録が提供される。前記目録でメニューを通じて書き込み、検索、お気に入り登録、メッセージ函を見るなどを実行することができる。
【０１２６】
一方、ここで書き込みを選択すると、書き込みメニューによって、題目（キーワード）を入力して、カテゴリを選択し、公開有無を設定することになる。なお、シャウティング／プッシュ／リレーオプションを設定して、内容を入力して、写真を書き込むようになる。
【０１２７】
ここで、前記シャウティングメニューを選択すると、バディーリスト又はその地域のＳＭＳ受信許容者達の目録を確認して該内容をシャウティング／プッシュ／リレーすることができる。
【０１２８】
一方、前記スポットのポスト目録で‘［コンテスト］美顔’メニューを選択すると、コンテスト対象者が書き込んだ文と写真がディスプレーされて、メニューによってコメント作成（メモ／ＳＭＳ）、スクラップ、プッシュ、評価、順位別見る、作成者アジトに行く、メッセージ函を見る、次のポスト及び前のポストなどのメニューを実行することができる。
【０１２９】
図１８は本発明の実施例によるモブログ基盤の地域コミュニティーサービスの中でアジト機能を用いたサービス利用状況を示した図面である。
【０１３０】
前記図１８を参照すると、前記図１７で確認した‘［コンテスト］美顔’ポストによって前記コンテスト対象者に対する興味が形成されて、前記コンテスト対象者のアジトへ移動することができる。
【０１３１】
前記コンテスト対象者のアジトでは前記アジトに登録されたポストを確認するようになり、前記コンテスト対象者が登録したポストを通じて興味分野及び経験を共有することができる。同時に、前記コンテスト対象者が訪問した場所を直接訪問したり経験することもできるようになる。
【０１３２】
上述したように、本発明はモブログ基盤の地域コミュニティーサービスを用いてオフ会を提案することでオンラインでのミーティングをオフラインでの実際ミーティングに自然に誘導できる方法を提案する。
【０１３３】
図１９は本発明の実施例によるモブログ基盤の地域コミュニティーサービスを用いてオフ会を提案する手順を示した図面である。
【０１３４】
前記図１９を参照すると、ユーザーＡが特定地域（例えば、江南）に移動して前記サービスにログインすることで主舞台に入場すると、上述したように前記主舞台に該当する一つ以上のスポットを提供し、前記ユーザーＡは前記提供されたスポットの中で一つの  スポットを選択（例えば、江南駅）することでスポットに入場するようになる。
【０１３５】
この時、本発明の実施例によって前記ユーザーＡは前記スポットでオフ会を提案するポストを登録するようになる。なお、前記オフ会に対する参与可否を確認するために他のユーザー達に前記オフ会提案に対するメッセージを伝送するようになる。
【０１３６】
一方、本発明の実施例によって前記オフ会提案に対するメッセージは不特定多数に伝送するものではなく前記オフ会の趣旨によって地域  基盤による興味分野が類似なユーザー達に伝送することが好ましい。例えば、前記ユーザーＡが江南駅スポットに入場したと仮定すると、同一スポットに入場したユーザーを対象で前記オフ会提案メッセージを伝送することが好ましい。従って、同一場所で同一興味を有した人達が前記メッセージを受信することでオフ会参与率が高くなるのみならず知らない人達間のオフ会であるとしても、自然にオフ会に参与することができるようになる。
【０１３７】
一方、前記オフ会の性格ではフラッシュモブ（ｆｌａｓｈ  ｍｏｂ）のオフ会とか、同じ趣味を有した人が同一劇場で同一映画又は演劇を観覧するためのオフ会になる。即ち、同一場所で同一興味を共有する人達間のオフ会がオンラインで提案されてオフラインで自然に連結されることができる。
【０１３８】
前記ユーザーＡのメッセージ伝送を受信するユーザー、例えば、ユーザーＢは上述したように既に前記ユーザーＡと同一スポットに入場した状態である。従って、前記ユーザーＡと同一地域に位置していて、前記ユーザーＡが伝送したオフ会メッセージを確認して、前記ユーザーＡが登録したオフ会提案ポストがあるかも確認するようになる。前記確認によって前記ユーザーＡが登録したオフ会提案ポストがあると、前記ポストにオフ会出席可否のコメントを登録することでオフ会出席に対する意思表示をする。
【０１３９】
なお、前記ユーザーＢは前記ユーザーＡにオフ会出席に対する意思表示をメッセージに伝送することもできる。前記ユーザーＡは前記ユーザーＢが伝送したメッセージを確認したり、前記ユーザーＢが登録したポストのコメントを確認することで前記ユーザーＢのオフ会出席可否を確認するようになる。こうすることで前記ユーザーＡとユーザーＢのオフラインでのオフ会が成事される。
【０１４０】
前記と同じ手順は前記同一スポットに入場した全てのユーザー又は選択されたユーザーに遂行されることができる。ここで、‘選択されたユーザー’というのは各ユーザー達の中でメッセージ受信ができるように設定したユーザー又はオフ会提案者が前記同一スポットに入場したユーザー達の中で選択したユーザーを意味する。
【０１４１】
以下、図２０乃至図２２を参照して前記オフ会提案手順が移動通信端末機でスポット、アジト、バディー等のメニューを通じて実際遂行される過程を説明する。
【０１４２】
図２０は本発明の実施例による移動通信端末機のメニューの中でスポットメニューでオフ会提案及び参与を遂行する過程を示した図面である。
【０１４３】
前記図２０を参照すると、前記オフ会提案及び参与の過程がスポットメニューを通じて進行される。
【０１４４】
まず、オフ会を提案しようとするユーザーは狎鴎亭地域に行ってサービスにログインすることで‘狎鴎亭’主舞台に入場する。その後、前記狎鴎亭主舞台に該当する一つ以上のスポットを提供されるようになり、前記ユーザーは前記提供されたスポットの中で‘ロデオ通り’を選択して入場するようになる。
【０１４５】
前記ユーザーは前記スポット入場によって該スポットに対して登録されたポストの目録を提供される。この時、提供されるメニューを通じて書き込み登録を選択されるようになり、所定の書き込み様式によってテキスト又はイメージを登録する。
【０１４６】
一方、前記ユーザーは前記スポットに登録するポストによってオフ会提案を遂行することができ、前記オフ会提案に対する対象者を選択してオフ会提案メッセージを伝送することができる。即ち、前記オフ会提案ポストを登録して、その地域に対するＳＭＳ受信許容者達を選択すると、前記該スポットに入場したユーザー達の中でＳＭＳメッセージ受信を許容したユーザー達の名簿がディスプレーされる。
【０１４７】
この時、前記ユーザーはオフ会提案に対するメッセージを伝送するユーザー達を前記ＳＭＳメッセージ受信を許容したユーザー達の中で選択すると、前記選択されたユーザー達に前記オフ会提案に対するメッセージが伝送される。
【０１４８】
前記オフ会提案者が伝送したメッセージを受信した各ユーザー達は上述したように該ポストを確認してオフ会出席可否に対するコメントを登録したり、前記オフ会提案者に直接的にメッセージを伝送することができるようになる。
【０１４９】
従って前記オフ会提案者は自分が登録したオフ会提案ポストを確認して、前記ポストに登録されたコメントを確認することでオフ会に出席を希望した人達を確認することができる。この時、前記コメントの中の一つを選択して該コメントを登録したユーザーのアジトに移動することができる。
【０１５０】
図２１は本発明の実施例による移動通信端末機のメニューの中でアジトメニューでオフ会提案及び参与を遂行する過程を示した図面である。
【０１５１】
前記図２１を参照すると、前記オフ会提案及び参与の過程がアジトメニューを通じて進行されることができる。
【０１５２】
まず、オフ会を提案しようとするユーザーは狎鴎亭地域に行ってサービスにログインすることで‘狎鴎亭’主舞台に入場する。その後、前記狎鴎亭主舞台に該当する一つ以上のスポットを提供されるようになり、前記ユーザーは前記提供されたスポットの中で‘ロデオ通り’を選択して入場する。
【０１５３】
前記ユーザーは急オフ会  オフ会に対するオフ会ポストを登録する。例えば、‘［急オフ会］フラッシュモブ狎鴎亭住民達！！！明日午後フラッシュモブ！会いましょう！２時ロデオ通り、出席可否リプライ頂戴。’のように文を登録する。
【０１５４】
前記登録した文は自分のアジトメニューでも確認され、自分のアジトメニューに書き込んだ目録の中で前記登録した分を選択することで、前記オフ会提案に対する他のユーザー達の反応を確認する。即ち、前記ポストに追加されたコメントを確認することで誰がオフ会に参与するかを確認する。一方、前記オフ会参与に対するポストは上述したように本発明によって該スポットに入場した人達（即ち、同一地域にいる人達）が閲覧するので、オフ会参与率を高め、前記オフ会に対する興味度を増大させることができる。
【０１５５】
なお、前記オフ会提案者は前記コメントを登録したユーザー達に対して各コメントを選択して該コメントを入力したユーザーにメモ又はＳＭＳメッセージを発送することができる。例えば、オフ会出席を希望するユーザーには‘２時に会いましょう！！！是非来てね〜’のような確認メッセージを伝送することができる。同時に、前記オフ会出席を希望するユーザーのアジトに訪問して前記希望者の登録した文を確認したり、性向を把握することができる。この時、前記コメントには前記のようにコメントのクリックによって該サービスが遂行されるようにＵＲＬをリンクさせることができる。
【０１５６】
一方、前記オフ会提案に対するポストを確認した近所ユーザー達は上述したように前記ポストに付加されたメニューを通じてコメントを作成したり、メモ又はＳＭＳのような方法で前記オフ会提案者にオフ会出席可否を通報することができる。
【０１５７】
図２２は本発明の実施例による移動通信端末機のメニューの中のバディーメニューでオフ会提案及び参与を遂行する過程を示した図面である。
【０１５８】
前記図２２を参照すると、ユーザーは自分のバディーのポストを他のバディーにシャウティングすることで急オフ会  オフ会等を申請することができる。
【０１５９】
まず、オフ会を提案しようとするユーザーは狎鴎亭地域に行ってサービスにログインすることで主舞台に入場し、前記主舞台に該当するスポットを提供されて、前記提供されたスポットの中で選択したスポットに入場する。
【０１６０】
この時、前記ユーザーはバディーメニューを選択して自分の友達と登録されたバディー達が登録したポストを確認する。前記ポストの内容を確認したユーザーは前記ポストの内容がオフ会を提案する内容である場合、前記ポストを自分の他のバディー達にシャウティングするようになる。
【０１６１】
従って、前記オフ会を提案したユーザーのバディーの知らないユーザーであるとしても前記バディーの文を確認した前記ユーザーの他のバディーにオフ会事実を知らせることで友達の友達をオフ会に参与させる効果をもたらす。こうすることで、人間関係の拡大が容易になり、同一興味を有した人達間のオフラインでのオフ会がより増大する。
【０１６２】
上述した本発明は移動通信端末機を通じてサービスできる各種サービス及び切り継ぎできるサービスとも連係してサービスできる。
【０１６３】
例えば、前記移動通信端末機間の通信で、無線ＬＡＮ又はブルートゥースなどの無線通信技術を活用したアドホック（Ａｄ−ｈｏｃ）ネットワーキング方式でユーザーを見つけて相互意思疎通ができるように具現することもできる。
【０１６４】
なお、前記移動通信端末機間の通信でピーティーティー（ＰＴＴ；  Ｐｕｓｈ  Ｔｏ  Ｔａｌｋ）方式で周辺地域のユーザー達にブロードキャスティングする方式で相互意思疎通ができるように具現することもできる。
【０１６５】
同時に、前記移動通信端末機間のＷｉｂｒｏ  方式のような携帯インターネット方式（ＨＰＩ；  Ｈｉｇｈ−ｓｐｅｅｄ  Ｐｏｒｔａｂｌｅ  Ｉｎｔｅｒｎｅｔ）で位置を獲得したり、移動状況でのコミュニケーションをサポートして、マルチメディア情報等の大量情報が流通できるように具現することのできる。
【０１６６】
一方、本発明の実施例では具体的実施例に関して説明したが、本発明の範囲を外れない限度内で色々変形ができることは無論である。それゆえに本発明の範囲は説明された実施例に限られて決められてはいけないし、特許請求の範囲のみならず、本特許請求の範囲と均等のものによって定められるべきである。
【０１６７】
本発明によると、モブログに場所という概念を導入して場所を媒介とするユーザー間のコミュニティーが形成されて、これに基づいてオンラインのみならず、オフラインでの実際ミーティングに誘導して人的ネットワークが形成されるようにする。
【０１６８】
なお、本発明によって場所基盤の思い出残し、場所掲示板、場所（商店）広報、場所に対する人達の評価、地域イベント公知、地域コンテスト参与、場所基盤オフ会公知等、多様にサービスを活用することができるという長所がある。
【０１６９】
特に、場所基盤オフ会のための約束場所設定、約束参与申請、約束情報伝送（メモ、ＳＭＳ、ＭＭＳ、インスタントメッセンジャー連係機能）機能を提供して地域的連関性という特性を活用して自然な地域コミュニティー基盤オフラインオフ会を誘導することができるサービスを提供することができる。
【図面の簡単な説明】
【０１７０】
【図１】本発明によるユーザーの活動基盤である人脈ネットワークを概念的に表現した主舞台概念図である。
【図２】本発明によるユーザーのアジトを中心とする特定場所（Ｓｐｏｔ）、友達との関係性を示すリンク概念図である。
【図３】本発明による移動通信端末機を通じたモブログ基盤の地域コミュニティーサービスシステムを示した図面である。
【図４】本発明の実施例による位置基盤コミュニティーサーバー及び外部連動システムの細部構成を示した図面である。
【図５】本発明の実施例によって可能になるサービスの例等を示した図面である。
【図６】本発明の実施例によってサービスできるサービスの流れを概念的に示した図面である。
【図７】本発明の実施例による移動通信端末機を通じたモブログ基盤の地域コミュニティーサービス提供手順を示した流れ図である。
【図８】本発明の実施例による移動通信端末機のスポット（Ｓｐｏｔ）メニューを通じたサービス方法を示した図面である。
【図９】本発明の実施例による移動通信端末機のスポット（Ｓｐｏｔ）メニューを通じたサービス方法を示した図面である。
【図１０】本発明の実施例による移動通信端末機のアジト（Ａｚｉｔ）メニューを通じたサービス方法を示した図面である。
【図１１】本発明の実施例による移動通信端末機のアジト（Ａｚｉｔ）メニューを通じたサービス方法を示した図面である。
【図１２】本発明の実施例による移動通信端末機のバディー（Ｂｕｄｄｙ）メニューを通じたサービス方法を示した図面である。
【図１３】本発明の実施例による移動通信端末機のバディー（Ｂｕｄｄｙ）メニューを通じたサービス方法を示した図面である。
【図１４】本発明の実施例によるスポット、アジト及びバディーメニューを通じたサービス連係  手順を示した図面である。
【図１５】本発明の実施例によって移動通信端末機を通じて提供されるメニューを通じた全体的サービスの流れを示した図面である。
【図１６】本発明の実施例によるモブログ基盤の地域コミュニティーサービスの中でオフ会提案状況を示した図面である。
【図１７】本発明の実施例によるモブログ基盤の地域コミュニティーサービスの中で移動通信端末機のスポットメニューでの実行過程を示した図面である。
【図１８】本発明の実施例によるモブログ基盤の地域コミュニティーサービスの中でアジト機能を利用したサービス利用状況を示した図面である。
【図１９】本発明の実施例によるモブログ基盤の地域コミュニティーサービスを利用してオフ会を提案する手順を示した図面である。
【図２０】本発明の実施例による移動通信端末機のメニューの中でスポットメニューでオフ会提案及び参与を遂行する過程を示した図面である。
【図２１】本発明の実施例による移動通信端末機のメニューの中でアジトメニューでオフ会提案及び参与を遂行する過程を示した図面である。
【図２２】本発明の実施例による移動通信端末機のメニューの中でバディーメニューでオフ会提案及び参与を遂行する過程を示した図面である。
【符号の説明】
【０１７１】
１００  ：ユーザージト
１１０、１２０、２００  ：スポット
１３０、２１０  ：お隣アジト
１４０、２２０  ：友達（バディー）アジト
２３０  ：友達の友達アジト
２４０  ：友達の興味スポット
３００  ：移動通信端末機
３１０  ：無線網終端装置
３２０  ：無線ネットワーク
３３０  ：インターネットネットワーク
３４０  ：有線端末機
３５０  ：位置基盤コミュニティーサーバー
３６０  ：外部連動システム
４００  ：ユーザー認証部
４１０  ：ポスト管理部
４２０  ：外部インタフェース部
４３０  ：サービス管理モジュール
４４０  ：推薦アルゴリズムモジュール
４５０  ：データベース部
４６１  ：ＳＭＳシステム
４６２  ：ＭＭＳシステム
４６３  ：インスタントメッセンジャーシステム
４６４  ：Ｅメールシステム
４６５  ：課金システム
４６６  ：位置基盤システム
【図１】
2008507750.tif 000003
【図２】
2008507750.tif 000004
【図３】
2008507750.tif 000005
【図４】
2008507750.tif 000006
【図５】
2008507750.tif 000007
【図６】
2008507750.tif 000008
【図７】
2008507750.tif 000009
【図８】
2008507750.tif 000010
【図９】
2008507750.tif 000011
【図１０】
2008507750.tif 000012
【図１１】
2008507750.tif 000013
【図１２】
2008507750.tif 000014
【図１３】
2008507750.tif 000015
【図１４】
2008507750.tif 000016
【図１５】
2008507750.tif 000017
【図１６】
2008507750.tif 000018
【図１７】
2008507750.tif 000019
【図１８】
2008507750.tif 000020
【図１９】
2008507750.tif 000021
【図２０】
2008507750.tif 000022
【図２１】
2008507750.tif 000023
【図２２】
2008507750.tif 000024
【国際調査報告】
2008507750.tif 000025
2008507750.tif 000026